【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線源と、
前記Ｘ線源に対向して配置され、前記被検体を透過した前記Ｘ線を検出して前記被検体のＸ線画像データを出力する２次元Ｘ線検出器と、
前記Ｘ線源及び前記２次元Ｘ線検出器を、同一回転中心軸を中心に回転移動させるための回転手段と、
前記Ｘ線画像データに基づいて画像再構成演算を行なう逆投影手段を備えた画像処理装置と、
を備えたＸ線ＣＴ装置において、
前記Ｘ線源及び前記２次元Ｘ線検出器は、基準回転中心軸を中心に回転移動され、
前記画像処理装置は、
前記基準回転中心軸の位置と実際の回転移動を示す回転中心軸の位置との相対変位量を、前記基準回転中心軸の近傍に位置したファントムの投影像の特徴量に基づいて算出する回転中心軸投影位置計算手段を備え、
前記逆投影手段は、前記相対変位量に基づいて前記Ｘ線画像データの修正を行い、画像を再構成する、
ことを特徴とするＸ線ＣＴ装置。
【請求項２】
被検体にＸ線を照射するＸ線源と、
前記Ｘ線源に対向して配置され、前記被検体を透過した前記Ｘ線を検出して前記被検体のＸ線画像データを出力する２次元Ｘ線検出器と、
前記Ｘ線源及び前記２次元Ｘ線検出器を、同一回転中心軸を中心に回転移動させるための回転手段と、
前記Ｘ線画像データに基づいて画像再構成演算を行なう逆投影手段を備えた画像処理装置と、
を備えたＸ線ＣＴ装置において、
前記Ｘ線源及び前記２次元Ｘ線検出器は、基準回転中心軸を中心に回転移動され、かつ、前記２次元Ｘ線検出器は、前記基準回転中心軸に対して所定の基準角度をなして取り付けられ、
前記画像処理装置は、
前記基準回転中心軸に対する前記２次元Ｘ線検出器の実際の取り付け角度と前記基準角度との角度差を修正するために必要な補正角度を、前記基準回転中心軸の近傍に位置したファントムの投影像の特徴量に基づいて算出する検出器取り付け補正角計算手段を備え、
前記逆投影手段は、前記補正角度に基づいて前記Ｘ線画像データの修正を行い、画像を再構成する、
ことを特徴とするＸ線ＣＴ装置。
【請求項３】
被検体にＸ線を照射するＸ線源と、
前記Ｘ線源に対向して配置され、前記被検体を透過した前記Ｘ線を検出して前記被検体のＸ線画像データを出力する２次元Ｘ線検出器と、
前記Ｘ線源及び前記２次元Ｘ線検出器を、同一回転中心軸を中心に回転移動させるための回転手段と、
前記Ｘ線画像データに基づいて画像再構成演算を行なう逆投影手段を備えた画像処理装置と、
を備えたＸ線ＣＴ装置において、
前記Ｘ線源及び前記２次元Ｘ線検出器は、基準回転中心軸を中心に回転移動され、かつ、前記２次元Ｘ線検出器は、前記基準回転中心軸に対して所定の基準角度をなして取り付けられ、
前記画像処理装置は、
前記基準回転中心軸及び前記２次元Ｘ線検出器の回転軌道面の近傍に位置したファントムの投影像の特徴量と、前記基準回転中心軸の近傍に位置したファントムの投影像の特徴量と、前記２次元Ｘ線検出器の回転軌道面から前記ファントムまでの距離と、に基づいて、前記基準回転中心軸の位置と実際の回転移動を示す回転中心軸の位置との相対変位量と、前記基準回転中心軸に対する前記２次元Ｘ線検出器の実際の取り付け角度と前記基準角度との角度差を修正するために必要な補正角度と、を算出する幾何学パラメータ計算手段を備え、
前記逆投影手段は、前記相対変位量及び前記補正角度に基づいて前記Ｘ線画像データの修正を行い、画像を再構成する、
ことを特徴とするＸ線ＣＴ装置。
【請求項４】
前記被検体を載置した寝台を、更に備え、
前記ファントムは、前記寝台に載置される前記被検体の体軸方向に沿って配置された円柱状又は中空のパイプ状のファントムとして構成される、
ことを特徴とする請求項１乃至３の一つに記載のＸ線ＣＴ装置。
【手続補正２】
【補正対象書類名】明細書
【補正対象項目名】００１３
【補正方法】変更
【補正の内容】
【００１３】
前記目的を達成するために、本発明に係るＸ線ＣＴ装置は、被検体にＸ線を照射するＸ線源と、前記Ｘ線源に対向して配置され、前記被検体を透過した前記Ｘ線を検出して前記被検体のＸ線画像データを出力する２次元Ｘ線検出器と、前記Ｘ線源及び前記２次元Ｘ線検出器を、同一回転中心軸を中心に回転移動させるための回転手段と、前記Ｘ線画像データに基づいて画像再構成演算を行なう逆投影手段を備えた画像処理装置と、を備えたＸ線ＣＴ装置において、前記Ｘ線源及び前記２次元Ｘ線検出器は、基準回転中心軸を中心に回転移動され、前記画像処理装置は、前記基準回転中心軸の位置と実際の回転移動を示す回転中心軸の位置との相対変位量を、前記基準回転中心軸の近傍に位置したファントムの投影像の特徴量に基づいて算出する回転中心軸投影位置計算手段を備え、前記逆投影手段は、前記相対変位量に基づいて前記Ｘ線画像データの修正を行い、画像を再構成する。
【手続補正３】
【補正対象書類名】明細書
【補正対象項目名】００１４
【補正方法】変更
【補正の内容】
【００１４】
また、本発明にかかるＸ線ＣＴ装置は、被検体にＸ線を照射するＸ線源と、前記Ｘ線源に対向して配置され、前記被検体を透過した前記Ｘ線を検出して前記被検体のＸ線画像データを出力する２次元Ｘ線検出器と、前記Ｘ線源及び前記２次元Ｘ線検出器を、同一回転中心軸を中心に回転移動させるための回転手段と、前記Ｘ線画像データに基づいて画像再構成演算を行なう逆投影手段を備えた画像処理装置と、を備えたＸ線ＣＴ装置において、前記Ｘ線源及び前記２次元Ｘ線検出器は、基準回転中心軸を中心に回転移動され、かつ、前記２次元Ｘ線検出器は、前記基準回転中心軸に対して所定の基準角度をなして取り付けられ、前記画像処理装置は、前記基準回転中心軸に対する前記２次元Ｘ線検出器の実際の取り付け角度と前記基準角度との角度差を修正するために必要な補正角度を、前記基準回転中心軸の近傍に位置したファントムの投影像の特徴量に基づいて算出する検出器取り付け補正角計算手段を備え、前記逆投影手段は、前記補正角度に基づいて前記Ｘ線画像データの修正を行い、画像を再構成する。
【手続補正４】
【補正対象書類名】明細書
【補正対象項目名】００１５
【補正方法】変更
【補正の内容】
【００１５】
また、本発明に係るＸ線ＣＴ装置は、被検体にＸ線を照射するＸ線源と、前記Ｘ線源に対向して配置され、前記被検体を透過した前記Ｘ線を検出して前記被検体のＸ線画像データを出力する２次元Ｘ線検出器と、前記Ｘ線源及び前記２次元Ｘ線検出器を、同一回転中心軸を中心に回転移動させるための回転手段と、前記Ｘ線画像データに基づいて画像再構成演算を行なう逆投影手段を備えた画像処理装置と、を備えたＸ線ＣＴ装置において、前記Ｘ線源及び前記２次元Ｘ線検出器は、基準回転中心軸を中心に回転移動され、かつ、前記２次元Ｘ線検出器は、前記基準回転中心軸に対して所定の基準角度をなして取り付けられ、前記画像処理装置は、前記基準回転中心軸及び前記２次元Ｘ線検出器の回転軌道面の近傍に位置したファントムの投影像の特徴量と、前記基準回転中心軸の近傍に位置したファントムの投影像の特徴量と、前記２次元Ｘ線検出器の回転軌道面から前記ファントムまでの距離と、に基づいて、前記基準回転中心軸の位置と実際の回転移動を示す回転中心軸の位置との相対変位量と、前記基準回転中心軸に対する前記２次元Ｘ線検出器の実際の取り付け角度と前記基準角度との角度差を修正するために必要な補正角度と、を算出する幾何学パラメータ計算手段を備え、前記逆投影手段は、前記相対変位量及び前記補正角度に基づいて前記Ｘ線画像データの修正を行い、画像を再構成する。